(57)【特許請求の範囲】
【請求項１】
空調制御対象の室内に供給する空気を通す給気ダクト内の目標静圧値を有する目標静圧値記憶手段と、
前記空調制御対象の室内から取り込んだ還気を空調処理して前記目標静圧値に基づいた風量で前記給気ダクトに送り込む還気制御を行う第１制御装置と、
外気を取り込んで空調処理して前記目標静圧値に基づいた風量で前記給気ダクトに送り込む外気制御を行う第２制御装置と、
前記還気制御により空調処理された空気と前記外気制御により空調処理された空気とのいずれか一方のみが前記空調制御対象の室内に供給されている状態から、前記還気制御により空調処理された空気と前記外気制御により空調処理された空気とが混合されて前記空調制御対象の室内に供給される状態に切り替わると、前記目標静圧値を所定時間下げる目標静圧値変更手段とを有することを特徴とする空調制御システム。
【請求項２】
空調制御対象の室内から取り込んだ還気を空調処理する還気処理系統と、外気を空調処理する外気処理系統と、前記空調制御対象の室内に供給する空気を通す給気ダクト内の目標静圧値を有する目標静圧値記憶手段と、を有する空調制御システムの、前記還気処理系統に利用する空調制御装置において、
前記空調制御対象の室内から取り込んだ還気を空調処理して前記目標静圧値に基づいた風量で前記給気ダクトに送り込む還気制御手段と、
前記還気制御手段で空調処理された還気のみが前記空調制御対象の室内に供給されている状態から、前記還気制御手段で空調処理された還気と前記外気処理系統で空調処理された外気とが混合された空気が前記空調制御対象の室内に供給されている状態に切り替わると、前記目標静圧値記憶手段で記憶している目標静圧値を所定時間下げる目標静圧値変更手段とを有することを特徴とする空調制御装置。
【請求項３】
空調制御対象の室内から取り込んだ還気を空調処理する還気処理系統と、外気を空調処理する外気処理系統と、前記空調制御対象の室内に供給する空気を通す給気ダクト内の目標静圧値を有する目標静圧値記憶手段と、を有する空調制御システムの、前記外気処理系統に利用する空調制御装置において、
外気を空調処理して前記目標静圧値に基づいた風量で前記給気ダクトに送り込む外気制御手段と、
前記外気制御手段で空調処理された外気のみが前記空調制御対象の室内に供給されている状態から、前記外気制御手段で空調処理された外気と前記還気処理系統で空調処理された還気とが混合された空気が前記空調制御対象の室内に供給されている状態に切り替わると、前記目標静圧値記憶手段で記憶している目標静圧値を所定時間下げる目標静圧値変更手段とを有することを特徴とする空調制御装置。
【請求項４】
前記目標静圧値を下げる所定時間は、前記還気制御により空調処理された空気と前記外気制御により空調処理された空気とが混合されて前記空調制御対象の室内に供給される状態に切り替わるときに、閉状態から開状態にされるダンパが目標開度に達するまでの時間であることを特徴とする請求項２または３に記載の空調制御装置。
【発明の詳細な説明】
【技術分野】
【０００１】
本発明の実施形態は、空調制御システムおよびこれに利用する空調制御装置に関する。
【背景技術】
【０００２】
従来、空調制御装置は、制御対象の室内から取り込む還気と建物外から取り込む外気とを混合して調整し、これを給気として制御対象の室内に供給して空調制御を行っている。還気は既に温湿度がある程度調整されているので、このように還気と外気とを混同して給気とすることで、外気のみを空調する場合よりも空調制御装置の負荷が低減される。
【０００３】
ところで、空調制御装置で湿度調整を行うときには、調整する空気を一度過冷却して除湿した後再度過熱して所望の温度にするため多大なエネルギーが消費され、温度調整よりも高い負荷がかかる。
【０００４】
そこで、特許文献１に記載の空調制御装置では、還気を調整する還気制御系統と外気とを調整する外気制御系統とを別に設け、それぞれの系統で調整された空気を混合して給気とする空調制御装置が提案されている。
【０００５】
このように２系統の空調制御系統で構成することにより、既に湿度が調整された還気に対しては湿度制御を行わずに温度調整のみを行うように設定することができ、空調制御装置の負荷をさらに低減させることができる。
【０００６】
また特許文献１に記載の空調制御装置では、ＣＯ2環境を適切な範囲に保つように必要な外気導入量を求め、この求められた必要外気量が取り込まれるようにファンの回転数を制御するため、確実に必要な外気量を制御対象の室内に供給することができる。
【先行技術文献】
【特許文献】
【０００７】
【特許文献１】特開２００８−２３６７３２号公報
【発明の概要】
【発明が解決しようとする課題】
【０００８】
この特許文献１に記載されたような２系統の空調制御系統で構成された空調制御装置では、それぞれの系統に対し、冷温水コイルやファン、およびこれらの設備の運転を制御するＤＤＣ（Direct Digital. Controller）が設けられている。そして、各系統のＤＤＣでは中央制御装置からの指示および制御対象の室内への給気ダクト内の静圧や給気の温湿度の状況に基づいてそれぞれの冷温水コイルやファンの運転を制御しているため、他方の系統のＤＤＣでの制御状況が考慮されず不具合を生じることがあった。
【０００９】
例えば、２系統の空調制御系統で構成された空調制御装置では電源投入直後のウォーミングアップ運転時は還気制御系統のみを運転させて循環空気に対して空調を行い、制御対象の室内の在室者によりＣＯ2濃度が増加すると外気を混合させるために外気制御系統の運転を開始させるように切り替えるが、この切り替え時に、外気制御系統のファンモータが起動トルク不足になり、還気制御系統により空調された空気が循環している給気ダクトに外気制御系統による空調された空気を押し込むことができない場合があるという問題があった。
【００１０】
逆に、外気制御系統のみを運転させる外気冷房運転の状態から、冷房負荷が増大したことにより還気制御系統の運転を開始させるように切り替えるときには、還気制御系統のファンモータが起動トルク不足になり、外気制御系統により空調された空気が循環している給気ダクトに還気制御系統による空調された空気を押し込むことができない場合あるという問題があった。
【００１１】
また、２系統の空調制御系統で構成された空調制御装置の各系統のＤＤＣでは、外乱に対しそれぞれが偏差制御を行うため、目標湿度になるように還気制御系統で加湿制御を行っているときにオーバーシュートしてしまうと外気制御系統で除湿制御をすることになり、無駄なエネルギーを消費してしまうことがあるという問題があった。
【００１２】
本発明は上記事情に鑑みてなされたものであり、還気処理系統の制御と外気処理系統の制御とを連携させて行うことで、効率良く空調制御を行う空調制御システムおよびこれに利用する空調制御装置を提供することを目的とする。
【課題を解決するための手段】
【００１３】
上記目的を達成するための実施形態によれば空調制御システムは、目標静圧値記憶手段と第１制御装置と第２制御装置と目標静圧値変更手段とを備える。目標静圧値記憶手段は、空調制御対象の室内に供給する空気を通す給気ダクト内の目標静圧値を有する。第１制御装置は、還気を空調処理して目標静圧値に基づいた風量で給気ダクトに送り込む還気制御を行う。第２制御装置は前記目標静圧値を有し、外気を取り込んで空調処理して目標静圧値に基づいた風量で給気ダクトに送り込む外気制御を行う。目標静圧値変更手段は、還気制御により空調処理された空気と外気制御により空調処理された空気とのいずれか一方のみが空調制御対象の室内に供給されている状態から双方が混合されて空調制御対象の室内に供給される状態に切り替わると、前記目標静圧値を所定時間下げる。
【図面の簡単な説明】
【００１４】
【図１】本発明の一実施形態による空調制御システムの構成を示す全体図である。
【図２】本発明の一実施形態による空調制御システムのＤＤＣの構成を示すブロック図である。
【図３】本発明の一実施形態による空調制御システムの動作を示すシーケンス図である。
【発明を実施するための形態】
【００１５】
〈一実施形態による空調制御システムの構成〉
本発明の一実施形態による空調制御システム１の構成について、図１を参照して説明する。
【００１６】
本実施形態による空調制御システム１は、空調制御対象の部屋ＡおよびＢからの還気を取り込んで空調する還気処理空調機１１と、還気処理空調機１１で空調された空気を通すダクト１２と、ダクト１２を通る空気量を調整するダンパ１３と、還気処理空調機１１で取り込まれた還気のうち建物外に排気する空気を通すダクト１４と、ダクト１４を通る空気量を調整するダンパ１５と、還気処理空調機１１、ダンパ１３、およびダンパ１５の動作を制御する第１制御装置としてのＤＤＣ１６と、空調制御対象の部屋ＡおよびＢから取り込んだ還気のＣＯ2濃度を計測するＣＯ2濃度センサ１７と、外気を取り込んで空調する外気処理空調機１８と、外気処理空調機１８で空調された空気を通すダクト１９と、ダクト１９を通る空気量を調整するダンパ２０と、ダクト１２とダクト１９とに接続され、還気処理空調機１１で空調された空気と外気処理空調機１８で空調された空気とを混合し空調制御対象の部屋ＡおよびＢに供給する給気を通す給気ダクト２１と、給気ダクト２１内の静圧を計測する圧力センサ２２と、給気ダクト２１内の給気の温度を計測する給気温度センサ２３と、給気ダクト２１内の給気の湿度を計測する給気湿度センサ２４と、給気ダクト２１を通った空気を部屋Ａへ給気する給気ユニット２５と、給気ダクト２１を通った空気を部屋Ｂへ給気する給気ユニット２６と、ＤＤＣ１６に接続され、外気処理空調機１８、ダンパ２０、給気ユニット２５、２６の動作を制御する第２制御装置としてのＤＤＣ２７と、空調制御対象の部屋Ａ内の温度を計測する室内温度センサ２８と、部屋Ａ内の湿度を計測する室内湿度センサ２９と、部屋Ｂ内の温度を計測する室内温度センサ３０と、部屋Ｂ内の湿度を計測する室内湿度センサ３１と、外気の温度を計測する外気温度センサ３２と、外気の湿度を計測する外気湿度センサ３３と、ＤＤＣ１６およびＤＤＣ２７の運転を制御する中央制御装置３４とを有する。
【００１７】
還気処理空調機１１は、空調制御対象の部屋ＡおよびＢから還気を取り込んでダクト１２に送り込むためのファン１１１と、このファン１１１の回転数を制御するインバータ１１２と、取り込んだ還気を空調するための冷水コイル１１３、温水コイル１１４、および蒸気コイル１１５とを有する。
【００１８】
また、外気処理空調機１８は、外気を取り込んでダクト１９に送り込むためのファン１８１と、このファン１８１の回転数を制御するインバータ１８２と、取り込んだ還気を空調するための冷水コイル１８３、温水コイル１８４、および蒸気コイル１８５とを有する。
【００１９】
本実施形態による、還気処理を制御するＤＤＣ１６、およびＤＤＣ１６に接続された外気処理を制御するＤＤＣ２７の詳細な構成を、図２に示す。
【００２０】
ＤＤＣ１６は、運転指示取得部１６１と、計測値取得部１６２と、外気処理状態監視部１６３と、制御信号生成部１６４とを有する。
【００２１】
運転指示取得部１６１は、中央制御装置３４から送信される指示を取得する。
【００２２】
計測値取得部１６２は、給気温度センサ２３、給気湿度センサ２４から計測値を取得する。
【００２３】
外気処理状態監視部１６３は、外気処理を制御するＤＤＣ２７において生成された制御信号を取得することにより外気処理状態を監視する。
【００２４】
制御信号生成部１６４は、予め設定された給気ダクト２１内の目標静圧値を有し、運転指示取得部１６１から取得した指示、計測値取得部１６２で取得した各種センサの計測値、外気処理状態監視部１６３で監視している外気処理状態、および当該目標静圧値に基づいて、還気処理空調機１１のインバータ１１２を制御する制御信号、冷水コイル１１３に供給する冷水量を制御する制御信号、温水コイル１１４に供給する温水量を制御する制御信号、蒸気コイル１１５に供給する蒸気量を制御する制御信号、およびダンパ１３、１５の開度を制御する制御信号を生成してそれぞれの設備装置に送信する。
【００２５】
ＤＤＣ２７は、運転指示取得部２７１と、計測値取得部２７２と、還気処理状態監視部２７３と、制御信号生成部２７４とを有する。
【００２６】
運転指示取得部２７１は、中央制御装置３４から送信される指示を取得する。
【００２７】
計測値取得部２７２は、ＣＯ2濃度センサ１７、圧力センサ２２、室内温度センサ２８、３０、室内湿度センサ２９、３１、外気温度センサ３２、および外気湿度センサ３３から計測値を取得する。
【００２８】
還気処理状態監視部２７３は、還気処理を制御するＤＤＣ１６において生成された制御信号を取得することにより還気処理状態を監視する。
【００２９】
制御信号生成部２７４は、予め設定された給気ダクト２１内の目標静圧値を有し、運転指示取得部２７１から取得した指示、計測値取得部２７２で取得した各種センサの計測値、還気処理状態監視部２７３で監視している還気処理状態、および当該目標静圧値に基づいて、外気処理空調機１８のインバータ１８２を制御する制御信号、冷水コイル１８３に供給する冷水量を制御する制御信号、温水コイル１８４に供給する温水量を制御する制御信号、蒸気コイル１８５に供給する蒸気量を制御する制御信号、ダンパ２０の開度を制御する制御信号、給気ユニット２５から部屋Ａに供給する給気量を制御する制御信号、給気ユニット２６から部屋Ｂに供給する給気量を制御する制御信号を生成してそれぞれの設備装置に送信する。
【００３０】
また、上記のＤＤＣ１６の制御信号生成部１６４およびＤＤＣ２７の制御信号生成部２７４は、還気制御により空調処理された空気と外気制御により空調処理された空気とのいずれか一方のみが空調制御対象の室内Ａ、Ｂに供給されている状態から、還気制御により空調処理された空気と外気制御により空調処理された空気とが混合されて空調制御対象の室内Ａ、Ｂに供給される状態に切り替わると、予め設定された目標静圧値を所定時間下げて、各制御を実行するための制御信号を生成する。
【００３１】
また、ＤＤＣ２７の制御信号生成部２７４は、ＤＤＣ１６で湿度に関する制御が実行されていることを検知すると、自装置における湿度に関する制御を停止して外気制御を実行するための制御信号を生成する。
【００３２】
〈一実施形態による空調制御システムの動作〉
次に、本実施形態による空調制御システム１の動作について、図３のシーケンス図を参照して説明する。
【００３３】
まず、空調制御システム１に電源が投入されると、予冷または予熱を行うため還気処理のみで空調制御を実行させるウォーミングアップ運転が開始され、中央制御装置３４からＤＤＣ１６およびＤＤＣ２７にウォーミングアップ運転のための還気処理開始指示が送信される（Ｓ１）。
【００３４】
ＤＤＣ１６では、中央制御装置３４から送信された還気処理開始指示がＤＤＣ１６の運転指示取得部１６１で取得されると還気処理が開始され、空調制御対象の部屋ＡおよびＢの空気が還気処理空調機１１で取り込まれて空調され再度部屋ＡおよびＢに供給されるように制御される（Ｓ２）。
【００３５】
還気処理が開始されたときの具体的な処理としては、まずＤＤＣ１６の制御信号生成部１６４において、ダンパ１３、１５を開状態にするための制御信号が生成されてダンパ１３、１５に送信され、ダンパ１３および１５が開状態にされる。
【００３６】
また制御信号生成部１６４において、計測値取得部１６２で給気温度センサ２３、給気湿度センサ２４から取得された計測値に基づいて、冷水コイル１１３に供給する冷水量を制御する制御信号、温水コイル１１４に供給する温水量を制御する制御信号、および蒸気コイル１１５に供給する蒸気量を制御する制御信号が生成されて冷水コイル１１３、温水コイル１１４、および蒸気コイル１１５にそれぞれ送信される。そして、冷水コイル１１３、温水コイル１１４、および蒸気コイル１１５では、制御信号生成部１６４から送信された制御信号に基づいた量で供給された冷水、温水、蒸気で、取り込んだ還気が空調される。
【００３７】
また制御信号生成部１６４において、予め設定された給気ダクト２１内の目標静圧値に基づいてインバータ１１２を制御する制御信号が生成されてインバータ１１２に送信される。そして、制御信号生成部１６４から送信された制御信号に基づいてインバータ１１２が稼動されファン１１１の回転が制御される。
【００３８】
また還気処理が開始されると、還気処理された空気がダクト１２からダクト１９を通じて外気処理空調機１８側に送風されないように、ＤＤＣ２７の制御信号生成部２７４において、ダンパ２０を閉状態にしておくための制御信号が生成されてダンパ２０に送信される。そして、制御信号生成部２７４から送信された制御信号に基づいて、ダンパ２０が閉状態にされる。
【００３９】
このウォーミングアップ運転が開始されると、ＣＯ2センサで計測されているＣＯ2濃度がＤＤＣ２７の計測値取得部２７２で取得され制御信号生成部２７４で監視される。そして、制御対象の部屋ＡおよびＢ内に在室者がいることによりＣＯ2濃度が上昇し、予め設定された上限値を超えたことが制御信号生成部２７４で検知されると（Ｓ３）、外気を取り入れて換気する必要があるため外気処理が開始される（Ｓ４）。ＤＤＣ２７において外気処理が開始されたことは、ＤＤＣ１６に送信され外気処理状態監視部１６３で検知される。
【００４０】
ＤＤＣ２７において外気処理が開始されると、還気処理空調機１１で空調された空気と外気処理空調機１８で空調された空気とが混合されて給気として部屋ＡおよびＢに供給されるように制御される。
【００４１】
ＣＯ2濃度が上限値を超えたことが検知され外気処理が開始されたときの具体的な処理としては、まずＤＤＣ２７の制御信号生成部２７４において、ダンパ２０を開状態にするための制御信号が生成されてダンパ２０に送信され、ダンパ２０が開状態にされる。
【００４２】
また制御信号生成部２７４において、計測値取得部２７２で室内温度センサ２８、３０、室内湿度センサ２９、３１、外気温度センサ３２、および外気湿度センサ３３から取得された計測値に基づいて、冷水コイル１８３に供給する冷水量を制御する制御信号、温水コイル１８４に供給する温水量を制御する制御信号、および蒸気コイル１８５に供給する蒸気量を制御する制御信号が生成されて冷水コイル１８３、温水コイル１８４、および蒸気コイル１８５にそれぞれ送信される。そして、冷水コイル１８３、温水コイル１８４、および蒸気コイル１８５では、制御信号生成部２７４から送信された制御信号に基づいた量で供給された冷水、温水、蒸気で、取り込んだ外気が空調される。
【００４３】
また制御信号生成部２７４において、予め設定された給気ダクト２１内の目標静圧値と計測値取得部２７２で圧力センサ２２から取得された計測値とＤＤＣ１６によるインバータ１１２の制御状態とに基づいて、インバータ１８２を制御する制御信号が生成されてインバータ１８２に送信される。そして、制御信号生成部２７４から送信された制御信号に基づいて、インバータ１８２が稼動されファン１８１の回転が制御される。
【００４４】
ここで、還気処理された空気のみが制御対象の部屋Ａ、Ｂに給気されていた状態から、外気処理が開始されたことにより、還気処理された空気と外気処理された空気とが混合されて部屋Ａ、Ｂに給気される状態に切り替わるとき、各ダクトおよび制御対象の部屋Ａ、Ｂ内の静圧が一時的に急激に変化する可能性がある。これらの静圧が変化するときの還気処理空調機１１および外気処理空調機１８の動作ついて説明する。
【００４５】
まず、ダンパ２０が開状態にされたことにより一時的に圧力センサ２２の計測値が低下すると、給気ダクト２１内の静圧を設定された目標静圧値に維持するために、ＤＤＣ１６によりインバータ１１２の周波数を増大させてファン１１１の回転数を上げるように制御される。
【００４６】
一方、ダクト１９には還気処理空調機１１により送り込まれた空気の圧力がかかっているため、外気処理が開始され外気処理空調機１８により外気処理された空気を送り込もうとすると、ダクト１９内の還気処理された空気に押し込むことが必要でありインバータ１８２に大きな負荷がかかるが、上記のようにファン１１１の回転数が上がることにより還気処理空調機１１から送り込まれる空気の圧力が上がり、これに押し負けられないようにするためさらにＤＤＣ２７によりインバータ１８２の周波数が急激に増大されることになり、ファン１８１のトルク不足が起こる可能性が高くなる。
【００４７】
また、ＤＤＣ２７によりダンパ２０の開度が制御される際には、モータにより数秒から数十秒かけて目標の開度に到達するように制御されているが、インバータ１８２は制御信号に基づいて即時に目標の周波数で運転されるため、望ましい制御状態にはならない。
【００４８】
そこで本実施形態においては、還気処理された空気のみが制御対象の部屋Ａ、Ｂに給気されていた状態から、外気処理が開始されたことにより、還気処理された空気と外気処理された空気とが混合されて部屋Ａ、Ｂに給気される状態に切り替わると、ＤＤＣ１６の制御信号生成部１６４およびＤＤＣ２７の制御信号生成部２７４において保持している給気ダクト２１の目標静圧値を一定時間下げ、これに基づいて各制御信号が生成されるようにする（Ｓ５、Ｓ６）。
【００４９】
このように一定時間目標静圧値を下げて各制御信号が生成されることにより、まずＤＤＣ１６によりインバータ１１２の周波数を増大させるように制御されることがなくなる。そのため、外気処理空調機１８により外気処理された空気を送り込む際にインバータ１８２の周波数も増大させる必要もなくなり、ファン１８１のトルク不足が起こらず、還気処理空調機１１で還気処理された空気と外気処理空調機１８で外気処理された空気とが、ダンパ２０の開度の変化に応じてスムーズに混合されて給気ダクト２１から各部屋Ａ、Ｂに供給されるようになり、制御のバタつきが抑えられ円滑な制御が行われる。
【００５０】
このとき、ダンパ２０の開度が数秒から数十秒かけて上がっていき、目標の開度に到達したときには還気処理された空気と外気処理された空気とがスムーズに混合されてほぼ安定して給気されている状態になっているため、この目標静圧値を下げる一定時間は、ダンパ２０の開度が目標の開度に達するまでの時間に準じて予め設定される。
【００５１】
そして、設定された一定時間経過後は、ＤＤＣ１６の制御信号生成部１６４およびＤＤＣ２７の制御信号生成部２７４において保持している給気ダクト２１の目標静圧値が段階的に元の設定値に戻され、これに応じて各制御信号が生成される。ここで給気ダクト２１の目標設定値が段階的ではなく一気に元の設定値に戻されると、急激に給気ダクト２１内の静圧が変化して給気量が急激に増加し在室者に不快感を与えることになってしまうため、好ましくない。
【００５２】
次に、空調制御処理中に、ＤＤＣ２７の計測値取得部２７２で取得された各種計測値に基づいて、制御信号生成部２７４において外気冷房運転に切り替えることが判断されると（Ｓ７）、この判断がＤＤＣ１６の外気処理状態監視部１６３で検知される。
【００５３】
外気冷房運転に切り替える判断がＤＤＣ１６の外気処理状態監視部１６３で検知されると、制御信号生成部１６４によりダンパ１３を閉状態にしておくための制御信号が生成されダンパ１３に送信され、ダンパ１３が閉状態にされる。
【００５４】
また制御信号生成部１６４において還気処理のために行われていた、冷水コイル１１３、温水コイル１１４、蒸気コイル１１５に送信する制御信号の生成が停止され、還気処理空調機１１は熱負荷としては無負荷で運転する排出機として運転する（Ｓ８）。これらの制御信号の生成が停止されることにより、外気制御された空気のみが制御対象の部屋ＡおよびＢに供給されるようになる。
【００５５】
この外気冷房運転が開始された後、外気温度の上昇等により冷房負荷が増大して外気処理空調機１８のみでの空調処理能力を超える状態になると、還気処理を開始させることがＤＤＣ２７の制御信号生成部２７４において判断され、ＤＤＣ１６の外気処理状態監視部１６３に還気処理開始指示が送信される（Ｓ９）。
【００５６】
還気処理開始指示がＤＤＣ１６の外気処理状態監視部１６３で検知されると、制御信号生成部１６４によりダンパ１３を開状態にするための制御信号が生成されダンパ１３に送信され、ダンパ１３が開状態にされる。またＤＤＣ１６の制御信号生成部１６４において、ステップＳ２のときと同様に還気処理が開始される（Ｓ１０）。ＤＤＣ１６において還気処理が開始されたことは、ＤＤＣ２７に通知され還気処理状態監視部２７３で検知される。
【００５７】
ここで、外気処理された空気のみが制御対象の部屋Ａ、Ｂに給気されていた状態から、還気処理が開始されたことにより、還気処理された空気と外気処理された空気とが混合されて部屋Ａ、Ｂに給気される状態に切り替わるときも、還気処理された空気のみが給気されていた状態から還気処理された空気と外気処理された空気とが混合されて給気される状態に切り替わるときと同様に、各ダクトおよび制御対象の部屋Ａ、Ｂ内の静圧が一時的に急激に変化する可能性がある。
【００５８】
そこで、ステップＳ５、Ｓ６の処理と同様に、還気処理された空気と外気処理された空気とが混合されて部屋Ａ、Ｂに給気される状態に切り替わったときにＤＤＣの制御信号生成部１６４およびＤＤＣ２７の制御信号生成部２７４において保持している給気ダクト２１の目標静圧値を一定時間下げ、これに基づいて各制御信号が生成されるようにする（Ｓ１１、Ｓ１２）。
【００５９】
このように一定時間目標静圧値を下げて各制御信号が生成されることにより、上述した場合と同様にファン１１１のトルク不足が起こらず、還気処理空調機１１で還気処理された空気と外気処理空調機１８で外気処理された空気とが、ダンパ２０の開度の変化に応じてスムーズに混合されて給気ダクト２１から各部屋Ａ、Ｂに供給されるようになり、制御のバタつきが抑えられ円滑な制御が行われるようになる。また、給気ダクト２１の目標静圧値も上述した場合と同様に段階的に元の設定状態に戻され、これに応じて各制御信号が生成される。
【００６０】
また、空調制御処理中に、ＤＤＣ１６の計測値取得部１６２で取得された各種計測値に基づいて、制御信号生成部１６４において湿度制御を行うための制御信号が生成されているか否かが、ＤＤＣ２７の還気処理状態監視部２７３で監視される。
【００６１】
これにより、ＤＤＣ１６の制御信号生成部１６４で湿度制御を行うための制御信号の生成が開始されたことがＤＤＣ２７の還気処理状態監視部２７３で検知されると（Ｓ１３）、ＤＤＣ２７の制御信号生成部２７４において湿度制御がOFF状態にされ、湿度制御を行うための制御信号の生成が行われないようにする（Ｓ１４）。
【００６２】
そして、ＤＤＣ１６の制御信号生成部１６４において湿度制御を行うための制御信号の生成が停止されたことがＤＤＣ２７の還気処理状態監視部２７３で検知されると（Ｓ１５）、ＤＤＣ２７の制御信号生成部２７４において湿度制御がON状態に戻され、湿度制御を行うための制御信号の生成が再開される（Ｓ１５）。
【００６３】
このように処理されることにより、例えば還気処理空調機１１において加湿処理中にオーバーシュートしてしまい、外気処理空調機１８において除湿処理が行われるというような無駄なエネルギーの消費を防ぐことができる。
【００６４】
以上の本実施形態によれば、還気処理を制御するＤＤＣと外気処理を制御するＤＤＣとを連携させ、各種装置の制御状態を相互に監視することにより、効率の良い円滑な空調制御を行うことができる。
【００６５】
また、本実施形態において、ＤＤＣ１６およびＤＤＣ２７で目標静圧値を下げる時間を「一定時間」とした場合について説明したが、上述したようにこれはダンパが目標の開度に達する時間に準じて設定されるため、一定ではなく「ダンパが目標の開度に達するまでの時間」としてもよい。
【００６６】
また、本実施形態において、部屋の快適性指数（ＰＭＶ：Predict Mean Vote）値が快適な範囲内になるように制御対象の部屋の目標温度と目標湿度とを演算する演算処理装置をさらに設け、演算された目標温度および目標湿度に基づいて各ＤＤＣに制御信号を生成させるようにしてもよい。
【００６７】
また、本実施形態において、還気処理空調機および外気処理空調機では湿度制御を行うための設備として蒸気コイルが設置された場合について説明したが、水スプレにより加湿を行うように設備を設置してもよい。
【符号の説明】
【００６８】
１…空調制御システム
１１…還気処理空調機
１２，１４，１９…ダクト
１３，１５，２０…ダンパ
１６，２７…ＤＤＣ
１７…ＣＯ2濃度センサ
１８…外気処理空調機
２１…給気ダクト
２２…圧力センサ
２３…給気温度センサ
２４…給気湿度センサ
２５，２６…給気ユニット
２８，３０…室内温度センサ
２９，３１…室内湿度センサ
３２…外気温度センサ
３３…外気湿度センサ
３４…中央制御装置
１１１…ファン
１１２…インバータ
１１３…冷水コイル
１１４…温水コイル
１１５…蒸気コイル
１６１…運転指示取得部
１６２…計測値取得部
１６３…外気処理状態監視部
１６４…制御信号生成部
１８１…ファン
１８２…インバータ
１８３…冷水コイル
１８４…温水コイル
１８５…蒸気コイル
２７１…運転指示取得部
２７２…計測値取得部
２７３…還気処理状態監視部
２７４…制御信号生成部
【図１】
0005323234.tif 000002
【図２】
0005323234.tif 000003
【図３】
0005323234.tif 000004